(57)【要約】【課題】  安価な装置であって、使用者と使用者が貨幣受入部に載置した紙幣や硬貨とを照合した画像が即座に確認可能な監視カメラ装置、及び、それを組み込んだ自販機又は両替機を提供する。【解決手段】  監視カメラと、該監視カメラの前面には透過反射板であるハーミラー或いは透明部分とミラーとを組み合た構成を設け、該監視カメラを自販機又は両替機の機体の外枠、外枠近傍、或いは、機枠内に配置し、透過反射板により一方は使用者を撮影し、他方は自販機又は両替機の貨幣受入部上の貨幣を撮影し、使用者と紙幣や硬貨との撮像を同一画面に撮影或いは記録し、画面表示する表示部を設け、監視カメラを赤外線監視カメラとした監視カメラ装置、及び、それを組み込んだ自販機又は両替機。【選択図】図１
2008257289.tif 000002
【特許請求の範囲】
【請求項１】
映像を撮影する監視カメラと、該監視カメラの前面に配置された透過反射板と、該監視カメラにより撮影された画像を記録する画像記録部とを有し、自販機又は両替機の貨幣受入部の貨幣を撮影可能な位置に配置される監視カメラ装置であって、前記監視カメラは前記透過反射板を介して一方は使用者を撮影し、他方は自販機又は両替機の貨幣受入部の貨幣を撮影して、使用者と貨幣の撮像を同一画面に撮影するように構成したことを特徴とする監視カメラ装置。
【請求項２】
請求項１に記載の監視カメラ装置において、前記監視カメラが撮影した画像を所定時間前記画像記録部に記録すると共に、該所定時間を超えた記録画像は新しい画像データに逐次上書きされるよう制御する画像記録制御部を更に有することを特徴とする監視カメラ装置。
【請求項３】
更に、前記監視カメラ装置を画像表示手段に接続し、前記画像記録部に記録された画像情報を前記画像表示手段に出力する接続部と、操作者からの画像表示操作を受け付けて前記表示手段に画像表示制御を行わせる画像表示操作信号を出力する操作部と、前記接続手段を介して前記画像記録部に記録された画像を前記画像表示手段に出力して表示させる表示制御手段と、
を有することを特徴とする請求項１乃至２に記載の監視カメラ装置。
【請求項４】
前記透過反射板として、ハーフミラーを用いることを特徴とする請求項１乃至３に記載の監視カメラ装置。
【請求項５】
前記透過反射板は透明部分とミラーとを組み合わせたことを特徴とする請求項１乃至３に記載の監視カメラ装置。
【請求項６】
前記監視カメラは赤外線監視カメラであることを特徴とする請求項１乃至５に記載の監視カメラ装置。
【請求項７】
前記監視カメラを自販機又は両替機の外枠或いは外枠近傍に配置する接続部を有することを特徴とする請求項１乃至６記載の監視カメラ装置。
【請求項８】
前記請求項１乃７の監視カメラ装置を組み込んだことを特徴とする自販機又は両替機。
【請求項９】
前記貨幣受入部に貨幣が投入されたことを検出する貨幣投入検出部と、
前記貨幣投入検出部により貨幣が投入されたことを検出した場合に、前記画像記録部に記録された記録画像より、検出時点から所定時間遡った時までの記録画像を取り込む貨幣投入画像記録部と、
を有することを特徴とする請求項８に記載の自販機又は両替機。
【請求項１０】
更に、前記操作部からの画像表示操作信号に基づいて、前記表示制御手段が、前記画像記録部又は前記貨幣投入画像記録部に記録された画像を前記画像表示手段に出力して表示させる
ことを特徴とする請求項８乃至９に記載の自販機又は両替機。 
【請求項１１】
前記監視カメラは自販機又は両替機の外枠或いは外枠近傍に配置したことを特徴とする請求項８乃至１０に記載の自販機又は両替機。
【請求項１２】
更に、前記接続部に接続された表示手段を有することを特徴とする請求項８乃至１１に記載の自販機又は両替機。
【発明の詳細な説明】
【技術分野】
【０００１】
本発明は、監視カメラ装置、特に、使用者と使用者が投入した紙幣又は硬貨等の貨幣を監視する監視カメラ装置、及び、それを組み込んだ自販機又は両替機に関するものである。
【背景技術】
【０００２】
従来、貨幣を扱う自販機又は両替機においては、例えば、下記の特許文献１に開示されているように監視カメラを設置しトラブルを監視していた。
ところで、自販機においては投入紙幣や硬貨と釣り銭額の間の関係が適正か否かの確認や、両替機においては投入金額と両替金額が一致しているか否かの確認を事後行う必要が生じることがあり、このために、使用者がどのような紙幣や硬貨を投入したかを確認することが求められる。また、不正な紙幣や硬貨が使用された場合には、使用者を確認する必要が生じる。
【０００３】
このような場合、使用者と使用者が貨幣受入部に載置した貨幣とを記録すればよいが、少なくとも、使用者を撮影するビデオカメラと貨幣受入部に載置した紙幣や硬貨を撮影する複数のビデオカメラとが必要となり、これらの装置を構築する費用が高価となるといった問題点があった。
また、使用者の撮像記録と紙幣や硬貨の撮像記録を照合する必要があったが、このための照合装置やタイムスタンプ装置等が必要となるという問題点があった。
特に、使用者が認識せずに誤って紙幣や硬貨を投入してトラブルが生じた場合には、使用者に納得させるために、即座に使用者と使用者が貨幣受入部に載置した紙幣や硬貨とを照合した画像が再生可能でなければならず、かつ、撮影後に合成した合成画像ではないことを証明しなければならないといった問題点があった。
【０００４】
【特許文献１】特開平９−１３５４８５号公報
【発明の開示】
【発明が解決しようとする課題】
【０００５】
本発明の目的は、上記した問題点に鑑みてなされたもので、安価な装置であって、使用者と使用者が貨幣受入部に載置した紙幣や硬貨とを照合した画像が即座に確認可能な自販機又は両替機の監視カメラ装置を提供することにある。
【課題を解決するための手段】
【０００６】
このような課題を解決するために請求項１に記載の発明は、監視カメラ装置において、映像を撮影する監視カメラと、該監視カメラの前面に配置された透過反射板と、該監視カメラにより撮影された画像を記録する画像記録部とを有し、自販機又は両替機の貨幣受入部の貨幣を撮影可能な位置に配置される監視カメラ装置であって、前記監視カメラは前記透過反射板を介して一方は使用者を撮影し、他方は自販機又は両替機の貨幣受入部の貨幣を撮影して、使用者と貨幣の撮像を同一画面に撮影するように構成したことを特徴とする。
【０００７】
請求項２に記載の発明は、請求項１に記載の監視カメラ装置において、前記監視カメラが撮影した画像を所定時間前記画像記録部に記録すると共に、該所定時間を超えた記録画像は新しい画像データに逐次上書きされるよう制御する画像記録制御部を更に有することを特徴とする。
【０００８】
請求項３に記載の発明は、請求項１乃至２に記載の監視カメラ装置において
更に、前記監視カメラ装置を画像表示手段に接続し、前記画像記録部に記録さ
れた画像情報を前記画像表示手段に出力する接続部と、操作者からの画像表示
操作を受け付けて前記表示手段に画像表示制御を行わせる画像表示操作信号
を出力する操作部と、前記接続手段を介して前記画像記録部に記録された画像
を前記画像表示手段に出力して表示させる表示制御手段と、を有することを特
徴とする。
【０００９】
請求項４に記載の発明は、請求項１乃至３に記載の監視カメラ装置において
前記透過反射板として、ハーフミラーを用いることを特徴とする。
【００１０】
請求項５に記載の発明は、請求項１乃至３に記載の監視カメラ装置において、前記透過反射板は透明部分とミラーとを組み合わせたことを特徴とする。
【００１１】
請求項６に記載の発明は、請求項１乃至５に記載の監視カメラ装置において、前記監視カメラは赤外線監視カメラであることを特徴とする。
【００１２】
請求項７に記載の発明は、請求項１乃至６に記載の監視カメラ装置において、
前記監視カメラを自販機又は両替機の外枠或いは外枠近傍に配置する接続部を有することを特徴とする。
【００１３】
請求項８に記載の発明は、前記請求項１乃至７の監視カメラ装置を組み込んだことを特徴とする自販機又は両替機である。
【００１４】
請求項９に記載の発明は、請求項８に記載の自販機又は両替機において、前記貨幣受入部に貨幣が投入されたことを検出する貨幣投入検出部と、前記貨幣投入検出部により貨幣が投入されたことを検出した場合に、前記画像記録部に記録された記録画像より、検出時点から所定時間遡った時までの記録画像を取り込む貨幣投入画像記録部と、
を有することを特徴とする。
【００１５】
請求項１０に記載の発明は、請求項８乃至９に記載の自販機又は両替機において、更に、前記操作部からの画像表示操作信号に基づいて、前記表示制御手段が、前記画像記録部又は前記貨幣投入画像記録部に記録された画像を前記画像表示手段に出力して表示させることを特徴とする。
【００１６】
請求項１１に記載の発明は、請求項８乃至１０に記載の自販機又は両替機において、前記監視カメラは自販機又は両替機の外枠或いは外枠近傍に配置したことを特徴とする。
【００１７】
請求項１２に記載の発明は、請求項８乃至１１に記載の自販機又は両替機において、更に、前記接続部に接続された表示手段を有することを特徴とする。
【発明の効果】
【００１８】
上述した請求項１の発明の監視カメラ装置によれば、透過反射板を用いて１台の監視カメラにより、使用者と使用者が投入した貨幣を同一画面に撮影或いは記録し、必要に応じて画面表示することができるので、装置を安価に製造することができる。また、即座に使用者と使用者が貨幣受入部に載置した貨幣とを照合した画像が再生可能となり、使用者が誤って貨幣を投入してトラブルが生じても、使用者が使用した貨幣を即座に確認し納得させることができる。
【００１９】
請求項２の発明の監視カメラ装置によれば、請求項１の発明の効果に加えて、画像記録部を取り替える必要はなく、また、貨幣投入記録部には有効で必要な情報だけが記録されることになるので、記録容量が少なくて済み、必要箇所の検索も迅速に行える。
【００２０】
請求項３の発明の監視カメラ装置によれば、請求項１の発明の効果に加えて、表示制御手段に画像表示手段を接続すれば画像記録部に記録された画像を操作者の操作により再生表示することが出来る。
【００２１】
請求項４の発明の監視カメラ装置によれば、請求項１乃至３の発明の効果に加えて、透過反射板としてハーフミラーを用いるので、視野に死角がなく、構成が簡単で安価に制作することができる。
【００２２】
請求項５の発明の監視カメラ装置によれば、請求項１乃至３の発明の効果に加えて、透過反射板として透明部分とミラーとを組み合わせた構成としたので、明るい映像が得られ、構成が簡単で安価に制作することができる。
【００２３】
請求項６の発明の監視カメラ装置によれば、請求項１乃至５の発明の効果に加えて、薄暗い場所においても、使用者及び貨幣を確認することができる。
【００２４】
請求項７の発明の監視カメラ装置によれば、請求項１乃至６の発明の効果に加えて、既存の自販機又は両替機の機体の外枠或いは外枠近傍に監視カメラ装置を設置することができ、監視カメラ装置付き自販機又は両替機に簡単に安価に改造することができる。
【００２５】
請求項８の発明の自販機又は両替機によれば、請求項１乃至７の効果を有する自販機又は両替機とすることが出来、特に、即座に使用者と使用者が貨幣受入部に載置した貨幣とを照合した画像が再生可能となり、使用者が誤って貨幣を投入してトラブルが生じても、使用者が使用した貨幣を即座に確認し納得させることができる。
【００２６】
請求項９の発明の自販機又は両替機によれば、請求項８の発明の効果に加えて、画像記録部を取り替える必要はなく、また、貨幣投入記録部には有効で必要な情報だけが記録されることになるので、記録容量が少なくて済み、必要箇所の検索も迅速に行える。
【００２７】
請求項１０の発明の自販機又は両替機によれば、請求項８乃至９の発明の効果に加えて、表示制御手段に画像表示手段を接続すれば画像記録部又は貨幣投入画像記録部に記録された画像を再生表示することが出来る。
【００２８】
請求項１１の発明の自販機又は両替機によれば、請求項８乃至１０の発明の効果に加えて、既存の自販機又は両替機の監視カメラ装置を機体の外枠或いは外枠近傍に設置すればよく、簡単に安価に改造することができる。
【発明を実施するための最良の形態】
【００２９】
以下、本発明の好適な第１の実施態様を、図１を参照して説明する。
第１の実施態様は、図１に示すように、自販機又は両替機のうち両替機に用いた監視カメラ装置で、符合１は高額紙幣を投入して小額紙幣に両替する両替機であり、両替機１の機枠上部の天井の外枠２の前端部２１には、ＣＣＤの赤外線監視カメラ３が取付ケース４を介して設置され、赤外線監視カメラ３の前面には赤外線監視カメラ３の光軸Ｘ１に対して所定角度を有するハーフミラー５が設けられ、ハーフミラー５の下方に貨幣のうち紙幣Ａを載置する紙幣受入部６が設けられている。
尚、ここで「貨幣」とは紙幣及び硬貨を意味する。
【００３０】
また、本発明でいう透過反射板とは、本実施態様では光の一部が透過し一部が反射するハーフミラー５を意味するが、後述する第５の実施態様では、一部が透明ガラスである透過部と一部がミラーである反射板を組み合わせた構成を意味する。
【００３１】
この場合の赤外線監視カメラ３と前記ハーフミラー５の位置関係は、図１に示すように、この両替機１の前に使用者Ｐ１が立ち、両替すべく紙幣Ａを紙幣受入部６に載置した時に、赤外線監視カメラ３の光軸Ｘ１は使用者Ｐ１に向いており、ハーフミラー５の存在に関わりなく、使用者Ｐ１の光像の一部は赤外線監視カメラ３に向かい、赤外線監視カメラ３は使用者Ｐ１を撮影することができる。本実施態様では監視カメラとして赤外線監視カメラ３を用いたが、通常のモノクロ監視カメラや、カラー監視カメラでもよい。
【００３２】
他方、紙幣受入部６に載置した紙幣Ａの光軸Ｙ１は、ハーフミラー５によって光軸Ｘ１が向きを変えたものであり、それにより紙幣Ａの光像の一部を、赤外線監視カメラ３に撮影することができる。
【００３３】
したがって、赤外線監視カメラ３で得られる画像は、図４に示されるように、使用者Ｐ１の人物像と紙幣Ａの像とが二重写しになったものであるが、十分に両者を認識できる。
【００３４】
両替機１の上部の天井の外枠２の中央部には、図５に示すようなコントロールボード７が配置され、赤外線監視カメラ３での使用者と紙幣と二重写しになった撮像の画像をコントロールボード７の映像入力端（Video IN）７１に入力し、必要に応じて外部マイクから音声も音声入力端（Audio IN）７２に入力して、これらの入力データを増幅し画像表示信号に変換する画像表示制御部を有する映像出力端（Video OUT）７３及び音声出力端（Audio OUT）７４からバックヤード(図示せず)の管理センターへ送信し、同時に、現在から所定時間内のデータを記録SDメモリーカード(登録商標)等のメモリーカード挿入部７５に装着されたSDメモリーカード(登録商標)Ｂ等に記録する。なお、コントロールボード７の符合７６は電源入力端子である。
【００３５】
両替機１の前面部２３の中央部には、操作部と画像表示部を兼ねた液晶画像表示部８が配置されており、公知の操作回路が付属され、通常では公知の両替操作メニューが表示されており、使用者Ｐ１は両替すべく紙幣Ａを投入し、両替操作メニューに従って必要な操作を行い、両替機が自動操作して両替された小額紙幣が排出口９に供給される。
【００３６】
そして、投入した紙幣Ａと使用者Ｐ１の確認が必要になった場合には、前記コントロールボード７の切り換えボタン(SelectB)７７を操作して、画像記録部であるＳＤメモリーカード(登録商標)Ｂに記録されている録画画像を呼び出すことになるが、液晶表示部８の画面を通常の両替操作メニュー画面から録画再生画面に切り換える。
【００３７】
画像表示部である液晶表示部８を録画再生画面にして、コントロールボード７の操作ボタンの早送りボタン(Up B)78aや巻き戻しボタン(Down  B)78bを操作して、使用者Ｐ１と紙幣Ａが同一画面に写っている必要な箇所を検索して再生する。なお、符合79aはファイルの選択ボタンであり79bはリセットボタンである。
【００３８】
このように、本実施態様では両替機の監視カメラ装置において、ハーフミラー５を用いて、１台の赤外線監視カメラ３により、使用者Ｐ１と使用者Ｐ１が投入した紙幣Ａを同一画面に二重映像として撮影して管理センターに伝送、或いはＳＤメモリーカード(商標登録)Ｂに記録し、必要に応じて液晶画面８に画面表示することができるので、赤外線監視カメラ３が１台でよく、付随する電気回路や装置も１系統でよいのでシステムを安価に製造することができる。
【００３９】
また、上記の二重映像を得る構成としては、後述する第５の実施態様のように一方の撮影に一般的なミラーを使用する構成もあるが、その場合にはミラーの取付位置によっては、ミラー自体が映像画面をさえぎり、死角を生じる恐れががある。本実施態様のハーフミラー５の場合は、一部光量が少なくなるが、死角となることはない。
【００４０】
さらに、コントロールボード７を操作して、即座に使用者Ｐ１と紙幣受入部に載置した紙幣Ａとを照合した画像を液晶表示部８に再生することも可能であり、この場合に使用者Ｐ１が誤って紙幣Ａを投入してトラブルが生じても、使用者Ｐ１が投入した紙幣Ａを即座に確認し納得させることができる。
【００４１】
また、既存の両替機おいて、監視カメラ３を天井の外枠２の上面に設置すればよく、既設の両替機を安価に改造することができる。監視カメラとして、薄暗くても撮影可能な赤外線監視カメラ３を使用しているので、薄暗い場所に設置した場合においても、使用者及び紙幣を確認することができる。
【００４２】
なお、本実施態様では、監視カメラ３を天井の外枠に設けたが、使用者Ｐ１と貨幣の両方が撮影できれば、外枠天井に限らず外枠１の側面部や、或いは、外枠１から離れた上部や側部の枠体近傍に接続部としてのケーブル等を介して配置してもよい。
【００４３】
本実施態様は、両替機で説明したが、排出口から購入する物品等が得られることが相違するだけで、利用者Ｐ１が同じように紙幣Ａを使用する自販機に本発明を用いても良いことは勿論である。
【００４４】
また、画面表示する画像表示部として、両替機に備えつけた液晶画面８を用いたが、通常は管理センターで監視して、問題が生じたときだけ、必要に応じて表示装置をセットするようにしてもよい。
【００４５】
ところで、上記第１の実施態様は、赤外線監視カメラ３の光像が直線上に進む光軸Ｘ１を使用者Ｐ１に向けたが、第２の実施態様の図２に示すように、ＣＣＤの赤外線監視カメラ３の光像が直線上に進む光軸Ｘ２を、紙幣Ａが載置投入される紙幣受入部６に向けてもよい。
【００４６】
この場合は、赤外線監視カメラ３の前面には、赤外線監視カメラ３の光軸Ｘ２に対して所定角度を有するハーフミラー５が設けられるが、赤外線監視カメラ３の光軸Ｘ２は紙幣Ａに向いており、ハーフミラー５の存在に関わりなく、紙幣Ａの光像の一部は赤外線監視カメラ３に向かい、赤外線監視カメラ３は紙幣Ａを撮影することができる。他方、使用者Ｐ２からの光軸Ｙ２は、ハーフミラー５によって光軸Ｘ２が向きを変えたものであり、それにより使用者Ｐ２の光像の一部を赤外線監視カメラ３が撮影することができる。
【００４７】
したがって、赤外線監視カメラ３で得られる画像も、図４に示されるように、使用者Ｐ２の人物像と紙幣Ａの像とが二重写しになったものである。
【００４８】
この第２の実施態様と第１の実施態様との構成の違いは、赤外線監視カメラ３の取付ケース４を両替機(自販機)の天井の外枠２へどのように取付けるか、或いは、ハーフミラー５の特性等によって適宜選択すればよく、画像処理作用に関しては、第１の実施態様と同様である。
【００４９】
次に、第３の実施態様を図３に示して説明する。
第１及び第２の実施態様は赤外線監視カメラ３が、両替機(自販機)１の外枠(天井外枠)２に取付けるため、使用者が監視カメラの位置を意識するので、不正使用の抑止効果はあるが、赤外線監視カメラ３の前面を覆う等の不正が行われる可能性がある。第３の実施態様は、これを防ぐために、監視カメラの位置が外部からは判らないように機枠内に設けたものである。
【００５０】
この第３の実施態様と第１の実施態様との構成の違いは、赤外線監視カメラ３’を両替機(自販機)１の外枠２内に設けたもので、赤外線監視カメラ３’は使用者Ｐ３を仰ぎ見るような光軸Ｘ３で斜め上向きに設置し、赤外線監視カメラ３’の前面にハーフミラー５’を配置し、両替すべく紙幣Ａを紙幣受入部６に載置した時に、赤外線監視カメラ３’の光軸Ｘ３は使用者Ｐ３に向いており、ハーフミラー５’の存在に関わりなく、使用者Ｐ３の光像の一部は赤外線監視カメラ３’に向かい、赤外線監視カメラ３’は使用者Ｐ３を撮影することができる。
【００５１】
他方、紙幣受入部６に載置した紙幣Ａの光軸Ｙ３は斜め上向きで、ハーフミラー５’によって光軸Ｘ３が向きを変えたものであり、従って、紙幣Ａの光像の一部を赤外線監視カメラ３’に撮影することができる。勿論、枠体２の光軸Ｘ３,Ｙ３の光路の部分は、スモークガラスやアクリル樹脂を用い、光を遮らないようにしておく必要がある。なお、符合６１は紙幣検出器である。
【００５２】
こうして、赤外線監視カメラ３’で得られる画像は、図４に示されるように、使用者Ｐ３の人物像と紙幣Ａの像とが二重写しになったものが得られる。
【００５３】
本実施態様のレイアウトは、コントロールボード７’を内部に配置し、操作する場合は、両替機の前面扉２４を開いて操作するようにしており、液晶表示部８’は撮影の対象物の光路を遮らないように、使用者Ｐ３の目の高さに配置しているが、他の構成や作用効果は第１の実施態様の場合と同じである。
本実施態様は、第１の実施態様と比較して、カメラの向きや設置場所は比較的自由に設定できる。
【００５４】
第４の実施態様を図６、図７に示して説明するが、本実施態様は使用する貨幣が紙幣Ａではなく硬貨Ｃである場合の構成であり、また、第１乃至３の実施態様はコントロールボード７(画像記録部７’）と画像表示部８、８’の構成で紙幣投入時の映像を所定時間記録保存しておく構成であるが、本実施態様では貨幣Ｃを検出した時から所定時間遡る時までの時間Ｔの画像を記録保存する構成、即ち、使用者Ｐ４が自販機又は両替機に近づいた時から貨幣Ｃを投入し終わる時までの必要で有効な画像だけを記録保存するようにしたものである。
【００５５】
図６及び図７で本実施態様の概略を説明するが、第３の実施態様を基礎としているので、符合が第３実施態様と同じ構成はその内容を援用して詳しい説明は省略する。
【００５６】
図６において、貨幣における硬貨Ｃを硬貨受入部６ａに投入し、その硬貨Ｃを撮影した光軸Ｙ３は斜め上向きの光軸Ｘ３がハーフミラー５’によって向きを変え、硬貨Ｃの光像の一部は赤外線監視カメラ３の光軸Ｘ３の光像と一緒になり、赤外線監視カメラ３’に硬貨Ｃを撮影することができる。こうして、赤外線監視カメラ３’で得られる画像は、使用者Ｐ４の人物像と貨幣Ｃの像とが二重写しになったものが得られる。
【００５７】
本実施態様の両替機（自販機）１内には、硬貨受入部６ａに投入した硬貨Ｃを検出する貨幣(硬貨)投入検出部６１a、赤外線監視カメラ３’からの映像を記録するコントロールボード７’の画像記録部及び画像表示制御部、貨幣投入検出部６１aからの硬貨投入信号を入力する保存画像制御部６２、この保存画像制御部６２の信号により画像記録部に記録されている所定の時刻間の画像を取り込んで記録する貨幣投入記録部７aが配置されている。
【００５８】
上記の電気制御系を、図７で説明すると、赤外線監視カメラ３からの映像は、コントロールボードのメモリーカード等の画像記録部７’に常時記録されているが、メモリーの容量に限界があることから、所定時間を超えた以前の古い画像に上書きすることで、現時点からの所定時間内の画像は常時記録している。
ここで、硬貨受入部６ａで硬貨Ｃが投入されると、投入されたことを貨幣投入検出部６１aで検出して、この検出信号を保存画像制御部６２に入力する。
保存画像制御部６２に検出信号が入力されると、保存画像制御部６２では検出信号が出力された時刻と、その時刻から所定時間遡る時刻までの時間Ｔの映像を画像記録部７’を介して貨幣投入記録部７aに取り込むように作動する。
この硬貨(貨幣）投入時刻から所定時間遡っ時刻までの間の所定時間Ｔは、貨幣投入検出部６１aの配置位置や、両替機（自販機）１の設置場所によって異なり、例えば、第３の実施態様の紙幣Ａの場合には、紙幣検出器６１は紙幣受入部６とほぼ同じ場所に設置可能であるので、遡る時間も比較的短くてよく、本実施態様の硬貨Ｃの場合は硬貨投入検出部６１aは両替機（自販機）１の内部深くに配置される場合が多いので、遡る時間も比較的長くなり、また、使用者Ｐ３,Ｐ４が照明等の関係で確認できる場所が両替機（自販機）１から離れている場合も、遡る時間も比較的長くなる。このように、貨幣投入記録部７aには有効で必要な情報だけが記録されることになるので、記録容量が少なくて済む。
【００５９】
勿論、この第４の実施態様の保存画像制御部等の構成を、必要に応じて他の第１〜３の実施態様に適用してもよい。また、図７に示すブロック図において、紙幣Ａ(貨幣)検出部６１や（硬貨）検出部６１aとこれに続く保存画像制御部６２や貨幣投入記録部７aを稼働される必要がなければ、図中点線に示すように、画像記録部７’から画像制御部(図示せず：点線)を介して直接画像表示部８’に繋げばよく、この場合は実質的に第１〜３の実施態様と同様となる。  
【００６０】
以上の第１乃至４の実施態様では、同一の画面に二重写しの映像を得る構成として透過反射板を用い、その透過反射板はハーフミラー５を用いたが、図８に示すように、第５の実施態様では、これら各実施態様のハーフミラー５、５’に替えて、使用者或いは貨幣のどちらか一方の撮影には、透明部分と反射板であるミラーとを組み合わせた構成を用いて、同一画面に２つの画像を得るようにしたものである。
【００６１】
図８において、ミラー支持体５１を赤外線監視カメラ３''の前面に配置する。このミラー支持体５１の下半分は、通常の反射板(鏡)である比較的小さな部分ミラー５１aであり、上半分は透明部分となる透明ガラス５１bである。また、部分ミラー５１aのミラー上端５２は使用者Ｐ４の監視カメラ３''での映像を遮らないように低く配置し、且つ、部分ミラー５１aの傾きθは下方の紙幣受入部６や硬貨受入部６aでの貨幣の映像が監視カメラで得られるように調整する。
なお、ミラー支持体５１の上半分は透明ガラス５１bであるが、必ずしも必要ではなく、支持構成や設置条件等では無くてもよい。
【００６２】
したがって、使用者Ｐ４の映像の光軸Ｘ４は、透明ガラス５１bを透過して赤外線監視カメラ３''に入光し、一方、紙幣Ａや硬貨Ｃの映像の光軸Ｙ４は、部分ミラー５１aによって光軸Ｘ４と平行の光軸Ｘ４’に方向に変え監視カメラ３''に入光する。他の構成は第１乃至４の構成と同じであるので、説明は省略する。
【００６３】
こうして、ハーフミラーでの実施態様とほぼ同様に、図４に示すように、記録部の画像には上半分が使用者Ｐ４の映像が、下半分には紙幣Ａ或いは硬貨Ｃの映像が同一画面に記録されることになる。なお、部分ミラー５１aで映像の方向を変える対象を貨幣としたが、対象を使用者Ｐ４としてもよい。
【００６４】
本実施態様の場合には、通常の全部の光を反射するミラーであるから、ハーフミラーのように光量が少なくなることもないが、部分ミラー５１aが背面の映像が死角となるので、なるべく小さな面積の方がよく、特に、使用者Ｐ４の監視カメラでの映像を遮らないような形や配置にする必要があり、また、ミラー支持体５１での部分ミラー５１aの配置も、上記のように下半分の配置に限らず、上部、側部でも適宜選択して設計すればい。 
【００６５】
以上のように、上述した実施態様の両替機(自販機)の監視カメラ装置によれば、透過反射板としてハーフミラー或いは透明ガラスと部分ミラーとの組み合わせた構成を用いて、１台の監視カメラにより、使用者と使用者が投入した貨幣を同一画面に撮影或いは記録し、必要に応じて画面表示することができるので、装置が安価に製造することができ、即座に使用者と使用者が貨幣受入部に載置した貨幣とを照合した画像が再生可能となり、使用者が誤って貨幣を投入してトラブルが生じても、使用者が使用した貨幣を即座に確認し納得させることができる。また、画像記録部のメモリーを取り替える必要はなく、貨幣投入記録部には有効で必要な情報だけが記録されることになるので、貨幣投入記録部のメモリーは記録容量が少なくて済み、必要箇所の検索も迅速に行える。
【００６６】
さらに、既存の両替機(自販機)の監視カメラ装置を両替機（自販機）の外枠又は外枠近傍に設置すればよく、簡単に安価に改造することができる。また、両替機（自販機）内に監視カメラを配置する場合は、監視カメラの存在に気付かれることが少なく、デザイン的にもスッキリした装置とすることができる。更に、監視カメラを赤外線監視カメラとしたので、薄暗い場所においても、使用者及び貨幣を充分に確認することができる。
【００６７】
なお、本発明の特徴を損なうものでなければ、上記の各実施例に限定されるものでなく、両替機や自販機等と均等範囲である金券を扱う機器に適用しても良いことは勿論である。
【図面の簡単な説明】
【００６８】
【図１】本発明の第１の実施態様を示す両替機の概要を示す説明図である。
【図２】本発明の第２の実施態様を示す両替機の概要を示す説明図である。
【図３】本発明の第３の実施態様を示す両替機の概要を示す説明図である。
【図４】第１〜５の実施態様で得られる画像図である。
【図５】第１〜３の実施態様に用いるコントロールボードの平面図である
【図６】本発明の第４の実施態様を示す両替機の概要を示す説明図である。
【図７】第４の実施態様に用いる電気制御系のブロック図である。
【図８】第５の実施態様に用いる透明部分とミラーとの組み合わせの概略を示す説明図である。
【符号の説明】
【００６９】
Ｐ１,Ｐ２,Ｐ３,Ｐ４…使用者、Ａ…紙幣、Ｂ…SDメモリーカード(登録商標)、
Ｘ１,Ｘ２,Ｘ３,Ｘ４,Ｙ１,Ｙ２,Ｙ３,Ｙ４…光軸、
１…両替機（自販機）、２…外枠、２１…前端部、２２…天井中央部、
２３…前面部、２４…前面扉、
３,３’３''…赤外線監視カメラ（監視カメラ）、４…取付ケース、
５,５’…ハーフミラー(透過反射板)、５１…ミラー支持体、
５１a…部分ミラー(透過反射板)、５１ｂ…透明ガラス(透過反射板)、
５２…ミラー上端部、
６…紙幣（貨幣）受入部、６a…硬貨受入部、
６１…紙幣（貨幣）検出器、６１a…貨幣（硬貨）検出部、
７…コントロールボード、７'…画像記録部、７a…貨幣投入記録部
７１…映像入力端、７２…音声入力端、７３映像出力端(表示制御部)、７４…音声出力端、７５…メモリーカード挿入部、７６…電源入力端子、
７７…切り換えボタン、７８a…早送りボタン、７８ｂ…巻き戻しボタン、
７９a…ファイルの選択ボタン、７９ｂ…リセットボタン、
８,8'…画像表示部（液晶表示部）、９…排出口、
【図１】
2008257289.tif 000003
【図２】
2008257289.tif 000004
【図３】
2008257289.tif 000005
【図４】
2008257289.tif 000006
【図５】
2008257289.tif 000007
【図６】
2008257289.tif 000008
【図７】
2008257289.tif 000009
【図８】
2008257289.tif 000010